(57)【特許請求の範囲】
【請求項１】
重ね合わされた２枚の包装フィルムの両側縁をシールするとともに、２枚の包装フィルムの一端縁近傍を両側縁間に亘ってシールして封止部を設けることにより、２枚の包装フィルムの一端縁と封止部との間にヘッダ部を設け、他方、２枚の包装フィルムの他端縁をシールすることなく開口部とすることにより、該開口部と２枚の包装フィルムの両側縁と封止部とによって囲まれた内側に収納部を設けた食品用包装袋であって、
開封起点となる切込線が一方の包装フィルムの収納部内で封止部近傍に形成され、開封手段となる不透明なシートが前記一方の包装フィルムによって設けられたヘッダ部及び切込線を塞ぐように重ね合わされ、少なくとも切込線よりも開口部側の前記一方の包装フィルムと不透明なシートとが剥離不可能に強く貼付されていることを特徴とする食品用包装袋。
【請求項２】
前記不透明なシートは、切込線よりもヘッダ部側の前記一方の包装フィルムと剥離可能に弱く貼付されていることを特徴とする請求項１に記載の食品用包装袋。
【請求項３】
前記不透明なシートは、商品情報表示ラベルであることを特徴とする請求項１又は２に記載の食品用包装袋。
【請求項４】
前記切込線は、ヘッダ部の幅とほぼ同じワイドに形成されていることを特徴とする請求項１ないし３のいずれか一項に記載の食品用包装袋。
【発明の詳細な説明】
【技術分野】
【０００１】
本発明は、サンドイッチやカステラなどの食品（以下、「サンドイッチ」という）を包装フィルムによって包装する食品用包装袋に関し、詳しくは、ヘッダ部を有するとともに、包装フィルムを開封起点から引き裂いて開封するようにした食品用包装袋に関する。
【背景技術】
【０００２】
側面形状が直角三角形のサンドイッチを包装フィルムによって包装する食品用包装袋が各種提供されている。例えば、特許文献１には、包装フィルムを的確に引き裂くことができるようにした食品用包装袋（以下、「包装袋」という。）が記載されている。
【０００３】
すなわち、この包装袋は、図５に示すように、重ね合わされた台形状の表フィルム１０と台形状の裏フィルム２０の両側縁１１，２１をシールし、幅の狭い一端（以下、「上端」という。）部近傍を表裏両フィルム１０，２０の両側縁１１，２１間に亘って帯状にシールして封止部５４を設けたものとされている。そして、この包装袋は、封止部５４よりも上側がヘッダ部５１とされ、このヘッダ部５１の上端縁もシールされている。なお、図示したヘッダ部５１は、長方形状に形成されているが、台形状に形成されるタイプもある。
【０００４】
また、包装袋は、幅の広い他端（以下、「下端」という。）部がシールされず、開口部５２とされている。そして、この包装袋には、封止部５４と両側縁１１，２１と開口部５２とで囲まれた内側にサンドイッチＳ（図６参照）を収納する収納部５３が設けられている。また、表フィルム１０の内側面には、収納されたサンドイッチＳが擦れても汚れないようにするための汚れ防止フィルム（図示せず）が重ね合わされる。
【０００５】
そして、この包装袋は、裏フィルム２０において、収納部５３のほぼ中心に開封起点となる切込線２１が形成されている。この切込線２１は、切れ目やミシン目などによって、図示したような逆Ｕ字形などに形成され、この逆Ｕ字形の切込線２１の内側が摘み部２２とされている。
【０００６】
そして、切込線２１によって内外が連通した裏フィルム２０の内側面には、切込線２１を覆うカバーフィルム４０が重ね合わされ、切込線２１を囲むように、裏フィルム２０とカバーフィルム４０とがシールされ、隔絶部５６が設けられている。また、カバーフィルム４０は、表裏両フィルム１０，２０の幅と同一の長さに形成され、両端縁が表裏両フィルム１０，２０の側縁にシールされている。
【０００７】
そして、裏フィルム２０には、切込線２１付近から開口部５２の方向に切断手段３１が設けられている。切断手段３１は、一般的に裏フィルム２０の裏面に貼り付けられたカットテープによって構成されている。
【０００８】
そして、包装袋は、開口部５２にエアーが吹き込まれることによって、開口部５２が長方形状に開口され、収納部５３内にサンドイッチＳが収納され、開口部５２側の表裏両フィルム１０，２０が折り畳まれて底面部Ｄが設けられ（図６参照）、この底面部Ｄが商品情報ラベル（サーマルラベル）（図示せず）によって封緘されることで、サンドイッチＳが包装された状態となる。
【０００９】
このサンドイッチＳは、隔絶部５６によって外気が切込線２１から収納部５３内に進入しないため、所期の品質が維持される。なお、商品情報ラベルは、折り畳まれて重なり合った表裏両フィルム１０，２０上に貼付されるため、商品情報ラベルに皺が生じ、記載された商品情報が見にくくなっている。
【００１０】
そして、包装されたサンドイッチＳを食するには、図６に示すように、切込線２１の内側に設けられた摘み部２２を摘んで底面部Ｄ方向に引っ張る。すると、切込線２１が開封起点となって、裏フィルム２０が切断手段３１に案内されて切込線２１から底面部Ｄの方へ引き裂かれ、包装袋が開封される。したがって、包装されたサンドイッチＳを収納部５３内から取り出して食することができる。
【先行技術文献】
【特許文献】
【００１１】
【特許文献１】特開２００９−４０４３０号公報
【発明の概要】
【発明が解決しようとする課題】
【００１２】
特許文献１に記載された包装袋を含め、サンドイッチＳを包装する包装袋は、ヘッダ部５１の正面側に商品名や図案などが印刷されている。ヘッダ部５１を構成している表裏両フィルム１０，２０は、透明なフィルムから製造されるため、図案などの印刷に先立って、ヘッダ部５１などに白版印刷（白ベタ）が施されている。
【００１３】
しかし、白版印刷は、光が当てられることで半透明になり、図案などが不鮮明となる。このため、白版印刷を２回してほしいという要請がある。しかし、白版印刷を２回することは、手間がかかるだけでなく、コストアップの一因となる。
【００１４】
また、ヘッダ部５１は、サンドイッチＳを収納した収納部５３から上方に突出しているため、折れ曲がりやすくなっている。ヘッダ部５１が折れ曲がると、商品名などが見えにくくなる上に、外観が損なわれたものとなる。
【００１５】
そこで、本発明は、ヘッダ部の図案などの印刷を鮮明にするとともに、ヘッダ部が腰を有するようにした食品用包装袋を提供することを課題とする。
【課題を解決するための手段】
【００１６】
本発明に係る食品用包装袋は、重ね合わされた２枚の包装フィルムの両側縁をシールするとともに、２枚の包装フィルムの一端縁近傍を両側縁間に亘ってシールして封止部を設けることにより、２枚の包装フィルムの一端縁と封止部との間にヘッダ部を設け、他方、２枚の包装フィルムの他端縁をシールすることなく開口部とすることにより、該開口部と２枚の包装フィルムの両側縁と封止部とによって囲まれた内側に収納部を設けた食品用包装袋であって、開封起点となる切込線が一方の包装フィルムの収納部内で封止部近傍に形成され、開封手段となる不透明なシートが前記一方の包装フィルムによって設けられたヘッダ部及び切込線を塞ぐように重ね合わされ、少なくとも切込線よりも開口部側の前記一方の包装フィルムと不透明なシートとが剥離不可能に強く貼付されていることを特徴としている。
【００１７】
この食品用包装袋によれば、不透明なシートが一方の包装フィルムによって設けられたヘッダ部及び切込線を塞ぐように重ね合わされることにより、不透明なシートが白版印刷のように作用し、図案などの印刷を鮮明にするとともに、ヘッダ部に腰をもたせ、ヘッダ部が折れ曲がりにくいようにすることができる。そして、不透明なシートを摘んで開口部の方へ引っ張ると、一方の包装フィルムが切込線から引き裂かれ、開封することができる。さらに、切込線が一方の包装フィルムの収納部内で封止部近傍に形成されることにより、一方の包装フィルムは、封止部においてちぎれることなく開口部の方へ引き裂かれる。
【００１８】
また、前記本発明に係る食品用包装袋において、前記不透明なシートは、切込線よりもヘッダ部側の前記一方の包装フィルムと剥離可能に弱く貼付されていることが好ましい。この食品用包装袋によれば、切込線よりもヘッダ部側の一方の包装フィルムと不透明なシートとが剥離可能に弱く貼付されることにより、ヘッダ部と不透明なシートとが一体となり、ヘッダ部がさらに腰を有し、折れ曲がりにくいようになる。さらに、不透明なシートは、剥離可能に弱く一方の包装フィルムに貼付されていることにより、開封に際して、ヘッダ部から剥がすことができる。
【００１９】
また、前記本発明に係る食品用包装袋において、前記不透明なシートは、商品情報表示ラベルであることが好ましい。この食品用包装袋によれば、従来、底部に貼付されていた商品情報ラベルがヘッダ部の部分に平坦に貼付されることで、商品情報を見やすくすることができる。
【００２０】
また、前記本発明に係る食品用包装袋において、前記切込線は、ヘッダ部の幅とほぼ同じワイドに形成されていることが好ましい。この食品用包装袋によれば、切込線がワイドに形成されていることにより、一方の包装フィルムが切込線からワイドに引き裂かれ、収納部内の食品を取り出しやすくすることができる。なお、不透明なシートは、ヘッダ部の幅とほぼ同じ幅とされるため、ワイドに形成された切込線を塞ぐものとなる。
【発明の効果】
【００２１】
本発明によれば、不透明なシートがヘッダ部及び切込線を塞ぐように一方の包装フィルムに重ね合わされて貼付された食品用包装袋を提供することができる。この食品用包装袋は、白色印刷を２回しなくても、図案などの印刷が鮮明となり、また、ヘッダ部が腰を有して折れ曲がらないものとなる。
【図面の簡単な説明】
【００２２】
【図１】本発明に係る食品用包装袋の第１の実施形態を示す正面図である。
【図２】本発明に係る食品用包装袋の第１の実施形態であって、（ａ）は開封前の状態を示す斜視図、（ｂ）は開封途中の状態を示す斜視図である。
【図３】本発明に係る食品用包装袋の第２の実施形態であって、（ａ）は開封前の状態を示す斜視図、（ｂ）は開封途中の状態を示す斜視図である。
【図４】本発明に係る食品用包装袋の第３の実施形態であって、（ａ）は開封前の状態を示す斜視図、（ｂ）は開封途中の状態を示す斜視図である。
【図５】従来の食品用包装袋の一例を示す正面図である。
【図６】従来の食品用包装袋の一例を示す斜視図である。
【発明を実施するための形態】
【００２３】
本発明に係る食品用包装袋（以下、「包装袋」という。）の実施形態について図１ないし図４を参照しながら説明する。なお、従来と同一に相当する部分は、同一の符合を付して説明する。
【００２４】
この包装袋は、一方の包装フィルム（実施形態では「裏フィルム」）２０の収納部５３内で封止部５４近傍に切込線２１が形成される。この切込線２１は、図１及び図２に示す第１の実施形態のように、また、図３に示す第２の実施形態のように、ヘッダ部５１の幅とほぼ同じにワイド形成され、あるいは、図４に示す第３の実施形態のようにナローに形成される。
【００２５】
いずれにしても、切込線２１は、裏フィルム２０を引き裂く起点となるため、図示したように、先端部が開口部５２の方を向く逆Ｕ字形に形成することが好ましい。ただし、切込線２１は、図示しない半円形、逆Ｖ字形、Ｘ字形、−字形などであってもよい。
【００２６】
そして、切込線２１の各先端部から開口部５２（第１の実施形態の図１にのみ示すが、第２、第３の実施形態も同様に設けられている。）の方に２本の開封補助手段３２，３２が設けられている。２本の開封手段３２，３２の間隔は、第１、第２の実施形態ではヘッダ部５１の幅とほぼ同じぐらいに広く、第３の実施形態では狭くされている。
【００２７】
各開封補助手段３２は、ハーフカットによって形成することが好ましい。このハーフカットは、本出願人が取得した特許第４２６４１２３号の切断補助線形成方法によって形成してもよい。このハーフカットは、深い溝状の切断補助線の両側に突条の隆起部を形成した形状とされ、隆起部によって切断補助線から逸れることなく、切込線２１の先端から開口部５２（底部Ｄ）の方に切断補助線に沿って裂けるようにされている。
【００２８】
そして、この包装袋は、不透明なシート６０がヘッダ部５１及び切込線２１を塞ぐように裏フィルム２０に重ね合わされて貼付される。ヘッダ部５１が図示したような四角形状であると、シート６０も四角形状に形成される。ヘッダ部５１が図示しない台形状であると、シート６０は、ヘッダ部５１に重ね合わされる部分が台形状、切込線２１を塞ぐ部分が四角形状に形成される。
【００２９】
そして、シート６０は、白色に着色されたものであることが好ましい。白いシート６０は、白版印刷を２回したいという従来の要請に応えるものとなる。すなわち、ヘッダ部５１は、１回の白版印刷だけであっても、白いシート６０がヘッダ部５１の下地を白くするため、１回の白版印刷と協働し、ヘッダ部５１に施された商品名や図案などの印刷がシート６０によって鮮明となる。
【００３０】
なお、商品名や図案の色合いなどによっては、白版印刷を１回もすることなく、白いシート６０をヘッダ部５１に貼付するだけとしてもよい。
【００３１】
また、シート６０は、商品情報ラベルであることが好ましい。商品情報は、製造年月日や原材料、販売者の名称や住所など商品に関する種々の有用な情報であるが、シート６０に商品情報が記載され、ヘッダ部５１の裏フィルム２０に貼付されることで、平坦に表示され、見やすくすることができる。
【００３２】
そして、シート６０の裏面は、粘着力を有するものとされ、裏フィルム２０に貼付される。ただし、シート６０は、切込線２１よりも開口部５２側、詳しくは、逆Ｕ字形の切込線２１で囲まれた内側の裏フィルム２０と剥離不可能に強く貼付され、切込線２１よりもヘッダ部５１側の裏フィルム２０及びヘッダ部５１を構成している裏フィルム２０と剥離可能に弱く貼付される。また、シート６０の上端部には、粘着力を有しない非貼着部６１が設けられ、摘み部とされる。ただし、シート６０の上端部は、剥がすことができるほどの弱い粘着力を有する摘み部としてもよい。
【００３３】
また、第１の実施形態のシート６０は、図１及び図２に示すように、ヘッダ部５１の全面に重ね合わされ、さらに上端縁から突出する。第２、第３の実施形態のシート６０は、図３及び図４に示すように、ヘッダ部５１のほぼ全面に重ね合わされ、ヘッダ部５１の上端縁から突出していない。いずれにしても、シート６０が裏フィルム２０の切込線２１を形成した部位から封止部５４を越えてヘッダ部５１まで貼付されることで、ヘッダ部５１が腰を有するものとなり、ヘッダ部５１が折れ曲がりにくくなっている。
【００３４】
ただし、シート６０は、切込線２１を形成した部分でのみ裏フィルム２０と貼付してもよい。切込線２１を形成した部分でのみ裏フィルム２０と貼付されたシート６０は、開封手段として機能するからであり、ヘッダ部５１と貼付されていなくても、ヘッダ部５１に沿うだけで、ヘッダ部５１がシート６０の方へ折れ曲がりにくくすることができる。
【００３５】
そして、この包装袋は、いうまでもなく、表フィルム１０と裏フィルム２０とが重ね合わされた状態で、下端側に設けられた開口部５２が長方形状に開口され、収納部５３内にサンドイッチＳが収納され、開口部５２側の表裏両フィルムが折り畳まれて底面部Ｄが設けられ、この底面部Ｄが封緘されることで、図２（ａ）、図３（ａ）、図４（ａ）に示すように、サンドイッチＳを包装した状態となる。
【００３６】
この包装袋は、シート６０が商品情報を記載したものであると、底部を透明テープで封緘することができる。また、商品情報を記載したシート６０は、裏フィルム２０のヘッダ部５１及び切込線２１を塞ぐように重ね合わされ、平坦な状態とされることで、商品情報が見やすくされ、さらに、ヘッダ部５１と弱く貼付されている場合は当然、弱く貼付されていなくても、ヘッダ部５１が腰を有して折れ曲がりにくいものとなっている。
【００３７】
そして、包装されたサンドイッチＳを食するには、図２（ｂ）、図３（ｂ）、図４（ｂ）に示すように、シート６０の摘み部である非貼着部６１を摘んで底部の方に引っ張る。すると、ヘッダ部５１に弱く貼付されたシート６０がヘッダ部５１から剥がれ、シート６０に強く貼付された切込線２１から開口側の裏フィルム２０がシート６０に引っ張られることで、切込線２１を開封基点として引き裂かれる。切込線２１がヘッダ部５１内でなく、収納部５３内に形成され、裏フィルム２０は、封止部５４を通過しないで引き裂かれるため、引き裂きに際して、途中でちぎれることがない。
【００３８】
そして、摘み部である非貼着部６１をさらに底部の方に引き下げると、裏フィルム２０は、開封補助手段３２に沿って開裂する。例えば、図２（ｂ）や図３（ｂ）に示すように、２本の開封補助手段３２，３２の間隔がヘッダ部５１の幅とほぼ同じ幅に形成されていると、ワイドに開裂する。また、２本の開封補助手段３２の間隔が狭く形成されていると、ナローに開裂する。いずれにしても、裏フィルム２０は、開封補助手段３２によって底部まで開裂することで、収納されたサンドイッチＳを取り出して食することができる。
【００３９】
なお、本発明は、前記実施の形態に限定することなく種々変更することができる。例えば、開封補助手段３２は、ハーフカットではなく、一般的なカットテープによって設けてもよいし、裏フィルム２０に一軸延伸フィルムを使用することで、別途設けないものとしてもよい。また、シート６０は、切込線２１が図３に示したようなナローであっても、図１に示したようにヘッダ部５１の上端縁から突出するようにしてもよい。
【００４０】
さらに、切込線２１は、表フィルム１０に形成し、シート６０は表フィルム１０のヘッダ部５１に重ね合わせてもよい。また、包装袋は、側面形状が直角三角形状のサンドイッチＳだけでなく、四角形状のサンドイッチＳやカステラなど各種形状の食品を包装することもできる。
【符号の説明】
【００４１】
１０……包装フィルム（表フィルム）
１１……側縁
２０……一方の包装フィルム（裏フィルム）
２１……側縁
５１……ヘッダ部
５４……封止部
６０……シート
６１……非貼着部
【図１】
0005618401.tif 000002
【図２】
0005618401.tif 000003
【図３】
0005618401.tif 000004
【図４】
0005618401.tif 000005
【図５】
0005618401.tif 000006
【図６】
0005618401.tif 000007